(57)【特許請求の範囲】
【請求項１】
円板部を有すると共に該円板部の中心部に開口を有し、且つ前記円板部が外周縁から該開口の周縁に向けて緩やかに下降傾斜する形態をなし、当該円板部に転入した遊技玉を周回させながら前記開口に接近させて該開口から落下させる周回用部材と、
この周回用部材の前記開口の周縁の一部分から他部分にかけて架設され、当該一部分側から他部分側へ下降傾斜した後上昇傾斜する形態の玉転動部を有し、当該一部分又は他部分から落下した遊技玉を当該玉転動部上を略振り子状に往復転動させた後落下させる往復用部材とを備えてなる遊技機の役物。
【請求項２】
前記開口の周縁の一部分及び他部分には、遊技玉を前記往復用部材の玉転動部に誘導可能な誘導凹部が設けられていることを特徴とする請求項１に記載の遊技機の役物。
【請求項３】
前記玉転動部において底部領域を除く部分は、遊技玉の往復転動方向と直交する断面が凹状をなすことを特徴とする請求項１又は２に記載の遊技機の役物。
【請求項４】
前記玉転動部が複数備えられていることを特徴とする請求項１乃至３の何れかに記載の遊技機の役物。
【発明の詳細な説明】
【技術分野】
【０００１】
本発明は、遊技機の役物に関する。
【背景技術】
【０００２】
従来より、遊技機には役物を備えたものが周知である。この役物には、遊技玉を周回させることにより遊技玉の落下を遅延させる部材としてクルーンを備えたものがある。このクルーンは全体として略円板形状をなしていて、その中心部には開口が設けられている。そして、クルーンに進入した遊技玉は、円板形状に沿ってクルーン内を周回し、球速が衰えてくるとクルーンの中心部に形成された開口から、落下するようになっている（例えば、特許文献１参照）。
【特許文献１】特開平１０−３２８３６５号公報
【発明の開示】
【発明が解決しようとする課題】
【０００３】
しかしながら、上記した構成のクルーンでは、遊技玉の動きとしてはクルーン内を周回する円運動のみとなってしまう。つまり、遊技玉の動きの変化が乏しいものとなってしまい興趣に欠けるという不具合がある。
【０００４】
本発明は、上記した事情に鑑みてなされたものであり、その目的は、遊技玉の動きに変化があり興趣性を高めることができる遊技機の役物を提供することにある。
【課題を解決するための手段】
【０００５】
請求項１に記載の遊技機の役物は、円板部を有すると共に該円板部の中心部に開口を有し、且つ前記円板部が外周縁から該開口の周縁に向けて緩やかに下降傾斜する形態をなし、当該円板部に転入した遊技玉を周回させながら前記開口に接近させて該開口から落下させる周回用部材と、この周回用部材の前記開口の周縁の一部分から他部分にかけて架設され、当該一部分側から他部分側へ下降傾斜した後上昇傾斜する形態の玉転動部を有し、当該一部分又は他部分から落下した遊技玉を当該玉転動部上を略振り子状に往復転動させた後落下させる往復用部材とを備えてなることを特徴とする。
【０００６】
この場合、請求項２に記載の遊技機の役物のように、前記開口の周縁の一部分及び他部分には、遊技玉を前記往復用部材の玉転動部に誘導可能な誘導凹部を設ける構成であっても良い。
【０００７】
また、請求項３に記載の遊技機の役物のように、前記玉転動部において底部領域を除く部分は、遊技玉の往復転動方向と直交する断面が凹状をなす構成であっても良い。
【０００８】
また、請求項４に記載の遊技機の役物のように、前記玉転動部が複数備えられている構成であっても良い。
【発明の効果】
【０００９】
請求項１に記載の遊技機の役物によれば、周回用部材の開口から遊技玉が玉転動部に落下した場合は、遊技玉が玉転動部上を略振り子状に往復転動するように構成したので、従来の円運動のみのものに比べ、遊技玉の動きに変化があり興趣性を高めることができる。
【００１０】
請求項２に記載の遊技機の役物によれば、遊技玉が、誘導凹部に誘導されて玉転動部に落下しやすくなり、これにより、遊技玉が往復転動をする確率が上昇する。
請求項３に記載の遊技機の役物によれば、玉転動部に落下した遊技玉の軌道が玉転動部の凹形状に沿って安定し、遊技玉の複数回の往復転動が期待できる。
【００１１】
請求項４に記載の遊技玉の役物によれば、遊技玉が往復転動する方向にも変化があり、より一層興趣性を高めることができる。
【発明を実施するための最良の形態】
【００１２】
以下、本発明をパチンコ機に適用した第１の実施形態につき図１乃至図８を参照して説明する。図４に示すように、パチンコ機１（遊技機に相当）の遊技盤２には作動口３及び大入賞口４が設けられており、遊技盤２は遊技領域を構成している。作動口３は、遊技玉５（図８参照）の通路を備えており、その通路入口には羽根６が開閉可能に支持されている。
【００１３】
大入賞口４の前にはシャッタ７が設けられている。このシャッタ７は図示しないソレノイドにより作動させられて大入賞口４を開閉する。
遊技盤２の中央部分（作動口３の上方）には、可変表示装置としての特別図柄表示装置（以下単に表示装置という）８が組み込まれている。この表示装置８では、図柄変動が、遊技玉５の作動口３への入賞に基づいて開始させられる。この場合、図柄が大当たり図柄となると、大入賞口４が開放し、大当たりの状態となり、より多くの賞球を獲得することが可能となる。
【００１４】
上記表示装置８を取り囲むようにセンター役物９が設けられている。このセンター役物９は、図３（ａ），（ｂ）に示すように、枠部１０及びステージ１１を備えて構成されている。枠部１０は前後に比較的長い形状をなしており、左右の側部１０ａ、１０ｂ、上部１０ｃ及び下部１０ｄからなる。この下部１０ｄの上面がステージ１１を構成している。
左側部１０ａにはワープ通路１２が形成されており、そのワープ通路１２の入口たる遊技玉入口１２ａは左側部１０ａの前端部において若干上方に開口した状態で形成されている。そしてワープ通路１２の出口たる遊技玉放出口１２ｂには連結通路１２ｃが備えられている。
【００１５】
ステージ１１は下方に向けて窪んだ谷形状をなしている。そして、このステージ１１の最低部にはクルーン１３（遊技機の役物に相当）が備えられている。このクルーン１３は、図１及び図２に示すように、周回用部材１４、往復用部材１５とを備えて構成されている。周回用部材１４は、円板部１６を有すると共に該円板部１６の中心部に開口１７を有し、且つ円板部１６が外周縁から該開口１７の周縁に向けて緩やかに下降傾斜する形態を成している。また、円板部１６の外周縁には壁部１８が設けられている。この円板部１６には、図２に二点鎖線で示すように連結通路１２ｃの先端部が臨んでおり、ワープ通路１２に入った遊技玉５がこの連絡通路１２ｃを介して当該円板部１６に転入するようになっている。そして、この円板部１６に転入した遊技玉５は円板部１６を周回しながら開口１７に接近して該開口１７から落下するようになっている。
【００１６】
往復用部材１５は、周回用部材１４の下方に設けられていて、その上面に、周回用部材１４の開口１７の周縁の一部分から他部分にかけて架設され、当該一部分側から他部分側へ下降傾斜した後上昇傾斜する形態の玉転動部１９が設けられている。そして、当該一部分又は他部分から落下した遊技玉５を当該玉転動部１９上を略振り子状に往復転動させた後落下させるようになっている。また、当該一部分及び他部分には、遊技玉５を玉転動部１９に誘導可能な誘導凹部２０が設けられている。
【００１７】
玉転動部１９において底部領域を除く部分は、図５（図５は、当該部分の一部である図２中Ａ−Ａ´の断面を示す）に示すように、遊技玉５の往復転動方向と直交する断面が凹状（この場合、略円弧凹状）を成すように形成されている。また、玉転動部１９において底部領域部分には、遊技玉５を当該玉転動部１９の両側に振り分けて落下させるための振り分け部２１が設けられていて、この振り分け部２１には、第１の案内凹部２２及び第２の案内凹部２３が設けられている。この第１の案内凹部２２は、図６（図６は、図２中Ｂ−Ｂ´の断面を示す）に示すように玉転動部１９の両側のうち一方側１９ａ（図３（ａ），（ｂ）では正面側）へ下降傾斜するように形成され、一方、第２の案内凹部２３は、図７（図７は、図２中Ｃ−Ｃ´の断面を示す）に示すように玉転動部１９の両側のうち他方側１９ｂ（図３（ａ），（ｂ）では背面側）へ下降傾斜するように形成されている。
【００１８】
図３（ａ），（ｂ）に示すように、往復用部材１５の正面側には、作動口３の上方に位置して一対のガイド部材２４が設けられている。前記玉転動部１９の前記一方側１９ａから落下した遊技玉５は、このガイド部材２４，２４の間の部分又は両外側の部分に至るものであり、このガイド部材２４，２４間は、作動口３への入球確率が高いものである。また、このガイド部材２４，２４の両外側の部分に位置して、夫々ステージ１１には落下孔２５が設けられている。各落下孔２５は、センター役物９を遊技盤２に取り付けた状態（図３（ｂ）及び図４参照）では、当該センター役物９の下部に設けられた導出口２６に連通されるようになっている。この導出口２６は、作動口３よりも幅広に設けられていて、導出口２６から導出された遊技玉５が作動口３に入る確率は低くなっている。なお、往復用部材１５の背面側においても落下孔（図示せず）が設けられていて導出口２６に連通されている。
【００１９】
上記構成においては、ワープ通路１２に入った遊技玉５が遊技玉放出口１２ｂから連結通路１２ｃを介してクルーン１３上に放出されると、遊技玉５は、周回用部材１４内を円板形状に沿って周回しながら徐々に勢いが弱まって開口１７に接近し該開口１７から落下する。この時、遊技玉５が玉転動部１９に落下した場合には、図８に示すように、遊技玉５は当該玉転動部１９上を略振り子状に往復転動した後、振り分け部２１から落下する。この場合、遊技玉５は、誘導凹部２０に沿って誘導され玉転動部１９に落下しやすくなっている。また、遊技玉５が玉転動部１９上を往復転動する際に、玉転動部１９において底部領域を除く部分では、当該部分が凹形状になっていることから、遊技玉５が逸脱しにくく遊技玉５の往復転動の軌道が玉転動部１９の凹形状に沿って安定する。そして、遊技玉５は、振り分け部２１において、第１の案内凹部２２及び第２の案内凹部２３のうち何れか一方の案内凹部によって、玉転動部１９の両側のうち何れか一方側に振り分けられる。
【００２０】
ここで、遊技玉５が第１の案内凹部２２によって玉転動部１９の一方側１９ａに落下し、ガイド部材２４，２４間に至った場合には、遊技玉５が両ガイド部材２４，２４に案内されて作動口３に入る確率が高くなる。しかし、遊技玉５が開口１７から玉転動部１９に至ることなく落下孔２５に入った場合や、玉転動部１９から第２の案内凹部２３によって玉転動部１９の他方側１９ｂに落下した場合や、玉転動部１９から脱落して落下孔２５に落下した場合には、遊技玉５が作動口３に入る確率が低くなる。
【００２１】
このように本実施形態によれば、周回用部材１４の開口１７から遊技玉５が玉転動部１９に落下した場合は、遊技玉５が玉転動部１９上を略振り子状に往復転動するように構成したので、従来の円運動のみのものに比べ、遊技玉５の動きに変化があり興趣性を高めることができる。
【００２２】
開口１７の周縁の一部分及び他部分に遊技玉５を往復用部材１５の玉転動部１９に誘導可能な誘導凹部２０を設ける構成としたので、遊技玉５が、誘導凹部２０に誘導されて玉転動部１９に落下しやすくなり、これにより、遊技玉５が往復転動をする確率が上昇する。
玉転動部１９において底部領域を除く部分は、遊技玉５の往復転動方向と直交する断面が凹状をなすように構成したので、玉転動部１９に落下した遊技玉５の軌道が玉転動部１９の凹形状に沿って安定し、遊技玉５の複数回の往復転動が期待できる。
【００２３】
玉転動部１９において底部領域部分には、遊技玉５を当該玉転動部１９の両側に振り分けて落下させるための振り分け部２１を設ける構成としたので、遊技玉５が振り分け部２１において、どちら側に振り分けられるかを楽しむことができ、より一層興趣性を高めることができる。
振り分け部２１に、玉転動部１９の両側のうち一方側へ下降傾斜する第１の案内凹部２２及び他方側へ下降傾斜する第２の案内凹部２３を備える構成としたので、遊技玉５が振り分け部２１において失速してしまったとしても、遊技玉５を玉転動部１９の両側のうち何れか一方側から落下させることができる。
【００２４】
図９は本発明の第２の実施形態を示すものであり、クルーン３０が、玉転動部３１を複数備える構成であっても良い。この場合、遊技玉５が何れの玉転動部３１に落下するかよって、遊技玉５が往復転動する方向が異なるので、遊技玉５が往復転動する方向にも変化があり、より一層興趣性を高めることができる。
尚、本発明は上記した各実施形態に限定されるものではなく、ステージ１１の形状等を変更して実施しても良い。また、センター役物９の右側部１０ｂにも、ワープ通路１２を設ける構成であっても良い。
また、クルーン３０は一体成形品から構成しても良いし、あるいは複数部材を接合した構成としても良い。
【図面の簡単な説明】
【００２５】
【図１】本発明の第１の実施形態を示すクルーンの斜視図
【図２】クルーンの平面図
【図３】（ａ）はセンター役物の斜視図、（ｂ）はセンター役物を遊技盤に取り付けた状態の斜視図
【図４】パチンコ機の遊技盤を示す正面図
【図５】玉転動部の形状を説明するための往復用部材の断面図
【図６】第１の案内凹部の形状を説明するための往復用部材の断面図
【図７】第２の案内凹部の形状を説明するための往復用部材の断面図
【図８】クルーンの縦断側面図
【図９】本発明の第２の実施形態を示すクルーンの斜視図
【符号の説明】
【００２６】
図面中、１はパチンコ機（遊技機）、５は遊技玉、１３はクルーン（遊技機の役物）、１４は周回用部材、１５は往復用部材、１６は円板部、１７は開口、１９は玉転動部、２０は誘導凹部、２１は振り分け部、２２は第１の案内凹部、２３は第２の案内凹部、３０はクルーン（遊技機の役物）、３１は玉転動部を示す。
【図１】
0004728098.tif 000002
【図２】
0004728098.tif 000003
【図３】
0004728098.tif 000004
【図４】
0004728098.tif 000005
【図５】
0004728098.tif 000006
【図６】
0004728098.tif 000007
【図７】
0004728098.tif 000008
【図８】
0004728098.tif 000009
【図９】
0004728098.tif 000010